(57)【要約】【課題】複数の機器の消費電力量の削減対象期間および削減目標量に基づく省エネを適切に支援することができるエネルギー管理装置を提供する。【解決手段】エネルギー管理装置１０４は、削減対象期間、削減目標量、機器種別、特殊動作の予定有無、特殊動作の予定時間、および、状態を取得する取得部１１１と、削減対象期間、削減目標量、機器種別、特殊動作の予定有無、特殊動作の予定時間、および、状態に基づいて、複数の制御パターンを生成する生成部１１２と、複数の制御パターンから実行対象制御パターンを選択する選択部１１３と、実行対象制御パターンに基づいて制御対象機器１０６に制御情報を送信する制御部１１４とを備え、複数の制御パターンの少なくとも１つは、特殊動作の予定時間を削減対象期間外にシフトし削減対象期間における消費電力量を削減目標量以上削減するための制御パターンである。【選択図】図２
2018019569.tif 000002
【特許請求の範囲】
【請求項１】
複数の機器の消費電力量の削減対象期間、前記削減対象期間における前記消費電力量の削減目標量、前記複数の機器のそれぞれの機器種別、前記複数の機器のそれぞれの特殊動作の予定有無、前記複数の機器のうち前記特殊動作の予定を有する１以上の機器のそれぞれの前記特殊動作の予定時間、および、前記複数の機器のそれぞれに関する状態を取得する取得部と、
前記削減対象期間、前記削減目標量、前記機器種別、前記特殊動作の予定有無、前記特殊動作の予定時間、および、前記状態に基づいて、それぞれが前記複数の機器に対する制御パターンであり制御内容が互いに異なる複数の制御パターンを生成する生成部と、
前記複数の制御パターンから実行対象制御パターンを選択する選択部と、
選択された前記実行対象制御パターンに基づいて、前記複数の機器のうち制御対象機器に前記制御対象機器を制御するための制御情報を送信する制御部とを備え、
前記複数の制御パターンの少なくとも１つは、前記特殊動作の予定時間を前記削減対象期間外にシフトするための制御パターンであり、前記削減対象期間における前記消費電力量を前記削減目標量以上削減するための制御パターンである
エネルギー管理装置。
【請求項２】
前記生成部は、さらに、前記複数の制御パターンを表示装置に表示する
請求項１に記載のエネルギー管理装置。
【請求項３】
前記選択部は、さらに、ユーザから入力装置を介して前記実行対象制御パターンの選択を受け付ける
請求項１または２に記載のエネルギー管理装置。
【請求項４】
前記複数の機器のうちの１つに対する前記機器種別は、空調装置、ショーケースおよび照明装置のいずれかである
請求項１〜３のいずれか１項に記載のエネルギー管理装置。
【請求項５】
前記複数の機器のうちの１つに対する前記状態は、動作状態、運転モード、設定温度、室内気温、室外気温、室内湿度および室外湿度の少なくとも１つを含む
請求項１〜４のいずれか１項に記載のエネルギー管理装置。
【請求項６】
前記特殊動作の予定を有する１以上の機器のうちの１つに対する前記特殊動作は、霜取り動作である
請求項１〜５のいずれか１項に記載のエネルギー管理装置。
【請求項７】
複数の機器の消費電力量の削減対象期間、前記削減対象期間における前記消費電力量の削減目標量、前記複数の機器のそれぞれの機器種別、前記複数の機器のそれぞれの特殊動作の予定有無、前記複数の機器のうち前記特殊動作の予定を有する１以上の機器のそれぞれの前記特殊動作の予定時間、および、前記複数の機器のそれぞれに関する状態を取得し、
前記削減対象期間、前記削減目標量、前記機器種別、前記特殊動作の予定有無、前記特殊動作の予定時間、および、前記状態に基づいて、それぞれが前記複数の機器に対する制御パターンであり制御内容が互いに異なる複数の制御パターンを生成し、
前記複数の制御パターンから実行対象制御パターンを選択し、
選択された前記実行対象制御パターンに基づいて、前記複数の機器のうち制御対象機器に前記制御対象機器を制御するための制御情報を送信することを含み、
前記複数の制御パターンの少なくとも１つは、前記特殊動作の予定時間を前記削減対象期間外にシフトするための制御パターンであり、前記削減対象期間における前記消費電力量を前記削減目標量以上削減するための制御パターンである
エネルギー管理方法。
【発明の詳細な説明】
【技術分野】
【０００１】
本開示は、省エネを支援するエネルギー管理装置等に関する。
【背景技術】
【０００２】
近年、企業イメージの向上または収益の改善のため、店舗における消費エネルギーを低減すること、すなわち省エネが重要視されている。特に、複数のコンビニエンスストアまたは複数のスーパーマーケット等のような複数の店舗を展開する企業では、店舗毎の細かな省エネの積み重ねが大きな効果をもたらすため、店舗毎の省エネが推奨されている。
【０００３】
省エネを実現する技術として、例えば特許文献１に記載の技術がある。特許文献１に記載の技術では、居住者が契約電力以内で任意に消費目標電力を設定する。そして、監視制御盤は、各電気機器の消費電力から総消費電力を算出する。そして、総消費電力が消費目標電力を超えた場合に、監視制御盤は、予め設定されている優先順位に基づき、動作中の電気機器から停止させる電気機器を選択し、消費電力過剰と共に報知し、所定のタイミングで停止させる。これにより、エネルギーの消費抑制が図られている。
【先行技術文献】
【特許文献】
【０００４】
【特許文献１】特開２０１３−１０６３８０号公報
【発明の概要】
【発明が解決しようとする課題】
【０００５】
しかしながら、上記従来の技術では、総消費電力が消費目標電力を超えたときに、停止させる電気機器および消費電力過剰が報知される。このような技術は、複数の機器の消費電力量の削減対象期間および削減目標量に基づく省エネに必ずしも適していない。
【０００６】
上記事情に鑑み、本開示の限定的でない例示的なある実施の形態は、複数の機器の消費電力量の削減対象期間および削減目標量に基づく省エネを適切に支援することができるエネルギー管理装置等を提供する。
【課題を解決するための手段】
【０００７】
本開示の一態様に係るエネルギー管理装置は、複数の機器の消費電力量の削減対象期間、前記削減対象期間における前記消費電力量の削減目標量、前記複数の機器のそれぞれの機器種別、前記複数の機器のそれぞれの特殊動作の予定有無、前記複数の機器のうち前記特殊動作の予定を有する１以上の機器のそれぞれの前記特殊動作の予定時間、および、前記複数の機器のそれぞれに関する状態を取得する取得部と、前記削減対象期間、前記削減目標量、前記機器種別、前記特殊動作の予定有無、前記特殊動作の予定時間、および、前記状態に基づいて、それぞれが前記複数の機器に対する制御パターンであり制御内容が互いに異なる複数の制御パターンを生成する生成部と、前記複数の制御パターンから実行対象制御パターンを選択する選択部と、選択された前記実行対象制御パターンに基づいて、前記複数の機器のうち制御対象機器に前記制御対象機器を制御するための制御情報を送信する制御部とを備え、前記複数の制御パターンの少なくとも１つは、前記特殊動作の予定時間を前記削減対象期間外にシフトするための制御パターンであり、前記削減対象期間における前記消費電力量を前記削減目標量以上削減するための制御パターンである。
【０００８】
なお、これらの包括的または具体的な態様は、システム、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００９】
本開示の一態様に係るエネルギー管理装置等は、複数の機器の消費電力量の削減対象期間および削減目標量に基づく省エネを適切に支援することができる。
【図面の簡単な説明】
【００１０】
【図１】図１は、実施の形態におけるエネルギー管理システムの構成例を示す図である。
【図２】図２は、実施の形態におけるエネルギー管理装置の構成例を示す図である。
【図３】図３は、実施の形態における取得部の構成例を示す図である。
【図４】図４は、実施の形態における機器構成ＤＢの例を示す図である。
【図５】図５は、実施の形態における機器状態ＤＢの例を示す図である。
【図６】図６は、実施の形態における特殊動作管理ＤＢの例を示す図である。
【図７】図７は、実施の形態におけるエネルギー管理装置の動作の基本的な例を示すフローチャートである。
【図８】図８は、実施の形態におけるエネルギー管理装置の動作の具体的な例を示すフローチャートである。
【図９】図９は、実施の形態における制御パターンの生成処理の例を示すフローチャートである。
【図１０】図１０は、実施の形態における制御パターン＃１の例を示す図である。
【図１１】図１１は、実施の形態における制御パターン＃２の例を示す図である。
【図１２】図１２は、実施の形態における制御パターン＃３の例を示す図である。
【図１３】図１３は、実施の形態における実行対象制御パターンを選択するための画面イメージの例を示す図である。
【発明を実施するための形態】
【００１１】
（本開示の基礎となった知見）
本発明者らは、省エネを支援するエネルギー管理装置等に関して、以下のような課題を見出した。
【００１２】
例えば、複数の機器の消費電力量を削減対象期間に削減目標量以上削減することが求められる場合がある。この場合において、複数の機器の消費電力量が削減目標量以上削減されるように、複数の機器のそれぞれの動作を個別に変更することは容易ではない。
【００１３】
また、消費電力量の削減対象期間において、消費電力が大きい動作が開始される可能性がある。これにより、消費電力量の削減が適切に行われない可能性がある。
【００１４】
そこで、本開示の一態様に係るエネルギー管理装置は、複数の機器の消費電力量の削減対象期間、前記削減対象期間における前記消費電力量の削減目標量、前記複数の機器のそれぞれの機器種別、前記複数の機器のそれぞれの特殊動作の予定有無、前記複数の機器のうち前記特殊動作の予定を有する１以上の機器のそれぞれの前記特殊動作の予定時間、および、前記複数の機器のそれぞれに関する状態を取得する取得部と、前記削減対象期間、前記削減目標量、前記機器種別、前記特殊動作の予定有無、前記特殊動作の予定時間、および、前記状態に基づいて、それぞれが前記複数の機器に対する制御パターンであり制御内容が互いに異なる複数の制御パターンを生成する生成部と、前記複数の制御パターンから実行対象制御パターンを選択する選択部と、選択された前記実行対象制御パターンに基づいて、前記複数の機器のうち制御対象機器に前記制御対象機器を制御するための制御情報を送信する制御部とを備え、前記複数の制御パターンの少なくとも１つは、前記特殊動作の予定時間を前記削減対象期間外にシフトするための制御パターンであり、前記削減対象期間における前記消費電力量を前記削減目標量以上削減するための制御パターンである。
【００１５】
これにより、複数の機器に対する実行対象制御パターンに従って制御対象機器が適切に制御される。また、複数の制御パターンに基づいて、複数の機器に対する柔軟な制御が可能である。そして、特殊動作の予定時間をシフトし、消費電力量を削減目標量以上削減するための制御パターンが実行対象制御パターンとして選択された場合、消費電力量の削減が適切に行われる。したがって、エネルギー管理装置は、複数の機器の消費電力量の削減対象期間および削減目標量に基づく省エネを適切に支援することができる。
【００１６】
また、例えば、前記生成部は、さらに、前記複数の制御パターンを表示装置に表示してもよい。
【００１７】
これにより、エネルギー管理装置は、省エネに関する複数の制御パターンをユーザに示すことができる。したがって、エネルギー管理装置は、省エネに関する行動をユーザに促すことができる。
【００１８】
また、例えば、前記選択部は、さらに、ユーザから入力装置を介して前記実行対象制御パターンの選択を受け付けてもよい。
【００１９】
これにより、エネルギー管理装置は、ユーザが行う操作に従って、実行対象制御パターンを選択することができる。したがって、エネルギー管理装置は、適切な制御パターンを実行対象制御パターンとして選択することができる。
【００２０】
また、例えば、前記複数の機器のうちの１つに対する前記機器種別は、空調装置、ショーケースおよび照明装置のいずれかでもよい。
【００２１】
これにより、エネルギー管理装置は、空調装置、ショーケースまたは照明装置に基づいて、制御パターンを生成することができる。
【００２２】
また、例えば、前記複数の機器のうちの１つに対する前記状態は、動作状態、運転モード、設定温度、室内気温、室外気温、室内湿度および室外湿度の少なくとも１つを含んでもよい。
【００２３】
これにより、エネルギー管理装置は、動作状態、運転モード、設定温度、室内気温、室外気温、室内湿度または室外湿度に基づいて、制御パターンを生成することができる。
【００２４】
また、例えば、前記特殊動作の予定を有する１以上の機器のうちの１つに対する前記特殊動作は、霜取り動作でもよい。
【００２５】
これにより、エネルギー管理装置は、霜取り動作を削減対象期間外にシフトするための制御パターンを生成することができる。
【００２６】
なお、これらの包括的または具体的な態様は、システム、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【００２７】
（実施の形態）
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、請求の範囲を限定する主旨ではない。また、以下の実施の形態における構成要素のうち、最上位概念を示す独立請求項に記載されていない構成要素については、任意の構成要素として説明される。
【００２８】
また、各図は模式図であり、必ずしも厳密に図示されたものではない。また、各図において、実質的に同一の構成に対しては同一の符号を付しており、重複する説明は省略または簡略化される場合がある。
【００２９】
また、電力量は、通常、所定の時間における電力の積算値を意味し、電気的なエネルギーに対応する。ここでは、電力の量を電力量と呼ぶ場合がある。また、電力（パワー）と電力量（エネルギー）とは互いに対応する。そのため、ここでは、電力が、電力量（エネルギー）の意味で用いられる場合があり、電力量が、単位時間当たりの電力量に対応する電力（パワー）の意味で用いられる場合がある。また、電力および電力量は、それぞれ、それらの値を意味する場合がある。
【００３０】
また、削減対象期間、削減目標量、識別番号、機器種別、設置場所、特殊動作の予定有無、特殊動作の予定時間、および、機器に関する状態等は、それぞれ、それらを示す情報を意味する場合がある。
【００３１】
［エネルギー管理システムの構成］
図１は、本実施の形態におけるエネルギー管理システムの構成例を示す。この構成例において、エネルギー管理システム１００は、指示装置１０１、表示装置１０２、入力装置１０３、エネルギー管理装置１０４、計測装置１０５、および、複数の機器１０６を備える。また、表示装置１０２、入力装置１０３、エネルギー管理装置１０４および計測装置１０５は、店舗のスタッフルームに設置され、複数の機器１０６は、店舗の売場に設置される。
【００３２】
構成要素の配置は、図１に示された例に限られない。特に、エネルギー管理装置１０４は、店舗の外部に設置されてもよい。また、表示装置１０２、入力装置１０３および計測装置１０５が売場に設置されてもよい。また、計測装置１０５は、店舗の周辺に設置されてもよい。また、複数の機器１０６の一部が、スタッフルームに設置されてもよいし、店舗の周辺に設置されてもよい。
【００３３】
指示装置１０１は、削減対象期間において消費電力量を削減するための指示を行う装置である。この指示は、いわゆるデマンドレスポンスに対応していてもよい。また、指示装置１０１は、メモリおよびプロセッサ等を備えるコンピュータでもよい。指示装置１０１は、有線の通信機能を有していてもよいし、無線の通信機能を有していてもよい。例えば、指示装置１０１は、電力供給事業者等によって管理され、消費電力量の削減対象期間および削減目標量を示す指示信号をエネルギー管理装置１０４へ送信する。また、複数店舗を運営・管理する運営本部や管理会社によって指示装置１０１が管理され、各指示信号をエネルギー管理装置１０４へ送信してもよい。
【００３４】
表示装置１０２は、情報を表示する装置である。表示装置１０２は、液晶ディスプレイでもよい。例えば、表示装置１０２は、エネルギー管理装置１０４で生成された複数の制御パターンを表示する。
【００３５】
入力装置１０３は、情報を入力する装置である。入力装置１０３は、キーボード、マウスまたはタッチパネル等でもよい。表示装置１０２および入力装置１０３は、一体化された装置でもよく、タブレット端末、スマートフォンまたは携帯電話等でもよい。表示装置１０２および入力装置１０３は、有線の通信機能を有していてもよいし、無線の通信機能を有していてもよい。
【００３６】
エネルギー管理装置１０４は、複数の制御パターンを生成し、複数の制御パターンから実行対象制御パターンを選択し、実行対象制御パターンに従って制御対象機器１０６を制御する装置である。エネルギー管理装置１０４は、メモリおよびプロセッサ等を備えるコンピュータでもよい。
【００３７】
エネルギー管理装置１０４は、有線または無線の通信機能を有し、複数の機器１０６の全部または一部と通信可能である。また、エネルギー管理装置１０４は、指示装置１０１、表示装置１０２、入力装置１０３および計測装置１０５と通信可能である。
【００３８】
例えば、エネルギー管理装置１０４は、指示装置１０１から指示信号を受信する。また、エネルギー管理装置１０４は、計測装置１０５から各機器１０６の消費電力量を受信する。また、エネルギー管理装置１０４は、各機器１０６から機器１０６の情報を受信する。また、エネルギー管理装置１０４は、入力装置１０３に入力された情報を受信する。
【００３９】
そして、エネルギー管理装置１０４は、受信した情報に基づき、複数の制御パターンを生成し、表示装置１０２に表示する。そして、エネルギー管理装置１０４は、入力装置１０３を介して実行対象制御パターンの選択を受け付け、実行対象制御パターンに基づいて、制御対象機器１０６に制御情報を送信する。
【００４０】
なお、実行対象制御パターンは、複数の制御パターンのうちの１つの制御パターンである。制御対象機器１０６は、複数の機器１０６に含まれる機器１０６であり、実行対象制御パターンに従って制御される機器１０６である。
【００４１】
計測装置１０５は、消費電力量を計測する装置である。計測装置１０５は、いわゆるスマートメータでもよい。計測装置１０５は、有線の通信機能を有していてもよいし、無線の通信機能を有していてもよい。計測装置１０５は、複数の機器１０６の全体またはそれぞれの消費電力量を計測し、計測された消費電力量をエネルギー管理装置１０４に通知する。
【００４２】
複数の機器１０６のそれぞれは、電気機器である。機器１０６は、空調装置でもよいし、冷凍用または冷蔵用のショーケースでもよいし、照明装置でもよいし、電気ポットでもよいし、冷凍機でもよいし、冷蔵庫でもよい。機器１０６は、冷凍用または冷蔵用のショーケース等を包括して総称される要冷機器でもよい。機器１０６は、基本的に、店舗に供給される電力を消費するが、電力を発生させてもよい。例えば、複数の機器１０６は、蓄電池を含んでもよいし、燃料電池を含んでもよい。
【００４３】
また、複数の機器１０６の一部または全部は、有線の通信機能を有していてもよいし、無線の通信機能を有していてもよい。
【００４４】
［エネルギー管理装置の構成］
図２は、図１に示されたエネルギー管理装置１０４の構成例を示す。この例において、エネルギー管理装置１０４は、取得部１１１、生成部１１２、選択部１１３および制御部１１４を備える。
【００４５】
取得部１１１は、情報を取得する取得器である。例えば、取得部１１１は、削減対象期間、削減目標量、機器種別、特殊動作の予定有無、特殊動作の予定時間、および、状態を取得する。
【００４６】
ここで、削減対象期間は、複数の機器１０６の消費電力量の削減対象期間である。削減目標量は、削減対象期間における消費電力量の削減目標量である。機器種別は、複数の機器１０６のそれぞれの機器種別である。特殊動作の予定有無は、複数の機器１０６のそれぞれの特殊動作の予定有無（予定を有するか否か）である。特殊動作の予定時間は、複数の機器１０６のうち特殊動作の予定を有する１以上の機器１０６のそれぞれの特殊動作の予定時間である。状態は、複数の機器１０６のそれぞれに関する状態である。
【００４７】
例えば、取得部１１１は、指示装置１０１から削減対象期間および削減目標量を示す指示信号を受信することにより、削減対象期間および削減目標量を取得する。また、取得部１１１は、計測装置１０５から消費電力量を受信することにより、消費電力量を目標電力量以内に維持するための削減対象期間および削減目標量を取得してもよい。
【００４８】
また、例えば、取得部１１１は、複数の機器１０６のそれぞれから機器１０６の情報を受信することにより、機器種別、特殊動作の予定有無、特殊動作の予定時間、および、状態を取得する。取得部１１１は、ユーザによって入力装置１０３に入力された情報を受信することにより、機器種別、特殊動作の予定有無、特殊動作の予定時間、および、状態を取得してもよい。
【００４９】
生成部１１２は、複数の制御パターンを生成する生成器である。例えば、生成部１１２は、削減対象期間、削減目標量、機器種別、特殊動作の予定有無、特殊動作の予定時間、および、状態に基づいて、複数の制御パターンを生成する。複数の制御パターンのそれぞれは、複数の機器１０６に対する制御パターンであり、複数の制御パターンの間では制御内容が異なっている。生成部１１２は、生成された複数の表示パターンを表示装置１０２に表示してもよい。
【００５０】
選択部１１３は、複数の制御パターンから実行対象制御パターンを選択する選択器である。選択部１１３は、ユーザから入力装置１０３を介して実行対象制御パターンの選択を受け付けてもよい。そして、選択部１１３は、受け付けられた選択に従って、生成部１１２で生成された複数の制御パターンから実行対象制御パターンを選択してもよい。
【００５１】
制御部１１４は、機器１０６を制御する制御器である。例えば、制御部１１４は、選択部１１３で選択された実行対象制御パターンに基づいて、複数の機器１０６のうち制御対象機器１０６に制御対象機器１０６を制御するための制御情報を送信することにより、制御対象機器１０６を制御する。
【００５２】
図３は、図２に示された取得部１１１の構成例を示す。取得部１１１は、例えば、機器情報取得部１２１、機器構成ＤＢ１２２、機器状態ＤＢ１２３、特殊動作管理ＤＢ１２４、および、消費電力量管理部１２５を備える。
【００５３】
機器情報取得部１２１は、複数の機器１０６の情報を取得する処理部である。機器情報取得部１２１は、複数の機器１０６から複数の機器１０６の情報を取得してもよいし、入力装置１０３から複数の機器１０６の情報を取得してもよいし、複数の機器１０６および入力装置１０３から、複数の機器１０６の情報を取得してもよい。機器情報取得部１２１は、複数の機器１０６の情報を機器構成ＤＢ１２２、機器状態ＤＢ１２３および特殊動作管理ＤＢ１２４に格納する。
【００５４】
消費電力量管理部１２５は、複数の機器１０６の消費電力量を管理する処理部である。例えば、消費電力量管理部１２５は、指示装置１０１から消費電力量の削減対象期間および削減目標量を示す指示信号を受信することにより、削減対象期間および削減目標量を取得する。消費電力量管理部１２５は、計測装置１０５で計測された消費電力量に基づいて、所定期間の消費電力量が所定の閾値以下になるように、消費電力量の削減対象期間および削減目標量を導出することにより、削減対象期間および削減目標量を取得してもよい。
【００５５】
また、消費電力量管理部１２５は、計測装置１０５を介して、消費電力量の削減対象期間における消費電力量の削減量を計測してもよい。
【００５６】
生成部１１２は、複数の機器１０６の情報を機器構成ＤＢ１２２、機器状態ＤＢ１２３および特殊動作管理ＤＢ１２４から取得する。また、生成部１１２は、消費電力量管理部１２５から削減対象期間および削減目標量を取得する。機器情報取得部１２１が、複数の機器１０６の情報を機器構成ＤＢ１２２、機器状態ＤＢ１２３および特殊動作管理ＤＢ１２４から取得し、生成部１１２は、機器情報取得部１２１から複数の機器１０６の情報を取得してもよい。
【００５７】
なお、機器構成ＤＢ１２２、機器状態ＤＢ１２３および特殊動作管理ＤＢ１２４は、取得部１１１に配置されなくてもよい。つまり、取得部１１１は、機器構成ＤＢ１２２、機器状態ＤＢ１２３および特殊動作管理ＤＢ１２４を備えていなくてもよい。そして、例えば、取得部１１１は、外部の機器構成ＤＢ１２２、機器状態ＤＢ１２３および特殊動作管理ＤＢ１２４に複数の機器１０６の情報を格納してもよい。
【００５８】
また、取得部１１１は、複数の機器１０６の消費電力量および状態の履歴を格納するための履歴ＤＢを備えていてもよい。あるいは、エネルギー管理装置１０４が、取得部１１１の外部に、履歴ＤＢを備えていてもよい。そして、取得部１１１の機器情報取得部１２１および消費電力量管理部１２５等が、消費電力量および状態の履歴を履歴ＤＢに格納してもよい。そして、生成部１１２が、履歴ＤＢを参照して、複数の制御パターンを生成してもよい。
【００５９】
図４は、図３に示された機器構成ＤＢ１２２の例を示す図である。機器構成ＤＢ１２２は、複数の機器１０６の構成に関する情報を有する。具体的には、図４の例において、機器構成ＤＢ１２２は、複数の機器１０６のそれぞれの識別番号、機器種別および設置場所を情報として有する。
【００６０】
識別番号は、複数の機器１０６のそれぞれを識別するための識別子である。機器種別は、複数の機器１０６のそれぞれの種別であり、空調装置、ショーケースまたは照明装置等を示す。設置場所は、複数の機器１０６のそれぞれが設置されている場所である。
【００６１】
図５は、図３に示された機器状態ＤＢ１２３の例を示す図である。機器状態ＤＢ１２３は、複数の機器１０６のそれぞれに関する状態を情報として有する。具体的には、図５の例において、機器状態ＤＢ１２３は、機器種別が空調装置（室内機）である機器１０６に対応しており、識別番号、更新日時、動作状態、運転モード、設定温度、室内気温、室外気温、室内湿度および室外湿度を情報として有している。
【００６２】
更新日時は、機器１０６に関する状態を示すレコードが更新された日時であり、レコードが示す状態に対応する日時である。動作状態は、機器１０６が動作しているか否か（機器１０６がオンかオフか）であり、機器１０６のオンオフ状態に対応する。運転モードは、機器１０６の運転モードであり、冷房、暖房、除湿、加湿または自動等を示す。設定温度は、室内温度の目標温度として機器１０６に対して設定される温度である。
【００６３】
室内気温は、機器１０６が設置された施設の中の温度である。室外気温は、機器１０６が設置された施設の周辺の外気温度である。室内湿度は、機器１０６が設置された施設の中の湿度である。室外湿度は、機器１０６が設置された施設の周辺の外気湿度である。
【００６４】
室内気温、室外気温、室内湿度および室外湿度は、推奨される制御パターンの生成に用いられてもよい。例えば、室内気温と室外気温との差が所定の閾値以下であり、室内湿度と室外湿度との差が所定の閾値以下である場合、空調装置を停止する制御パターンが生成されてもよい。また、同等または類似の環境における過去の制御を参照して、推奨される制御パターンが生成されてもよい。
【００６５】
機器状態ＤＢ１２３が有する項目は、機器種別毎に異なる。機器状態ＤＢ１２３は、機器種別毎に異なるテーブルを有していてもよい。例えば、機器状態ＤＢ１２３は、機器１０６において得られる状態を示す情報を含む。そして、機器状態ＤＢ１２３は、機器１０６が有する計測器によって計測される状態を示す情報を含んでもよい。また、機器状態ＤＢ１２３は、状態を示す情報として、各種設定値を示す情報を含んでもよい。
【００６６】
図６は、図３に示された特殊動作管理ＤＢ１２４の例を示す図である。特殊動作管理ＤＢ１２４には、複数の機器１０６のそれぞれの特殊動作に関する情報が格納される。具体的には、図６の例において、特殊動作管理ＤＢ１２４は、識別番号、特殊動作の予定有無、および、特殊動作の予定時間を情報として有する。
【００６７】
特殊動作の予定有無は、複数の機器１０６のそれぞれの特殊動作の予定有無である。つまり、特殊動作の予定有無は、複数の機器１０６のそれぞれが特殊動作の予定を有するか否かを示す。特殊動作の予定時間は、特殊動作の予定を有する１以上の機器１０６のそれぞれの特殊動作の予定時間であり、特殊動作の開始予定時刻および終了予定時刻を示す。
【００６８】
特殊動作は、通常動作よりも消費電力が大きい動作である。つまり、特殊動作が行われている時間の消費電力は、他の時間の消費電力よりも大きい。例えば、ショーケースの特殊動作は霜取り動作でもよい。また、空調装置の特殊動作は自己清掃動作でもよいし、電気ポットの特殊動作は加熱動作でもよい。
【００６９】
例えば、識別番号が４であるショーケースは、２０１６／０８／１０の１４：００〜１４：３０に霜取り動作を行う予定を有する。ただし、消費電力量の削減対象期間が同じ日の１３：００〜１５：００である場合、霜取り動作を１５：００以降に延期する制御パターンが生成される。
【００７０】
［エネルギー管理装置の動作］
図７は、図２に示されたエネルギー管理装置１０４の動作の基本的な例を示すフローチャートである。
【００７１】
まず、取得部１１１は、消費電力量の削減対象期間、消費電力量の削減目標量、各機器１０６の機器種別、各機器１０６の特殊動作の予定有無、特殊動作の予定を有する機器１０６の特殊動作の予定時間、および、各機器１０６に関する状態を取得する（Ｓ１０１）。
【００７２】
次に、生成部１１２は、取得部１１１によって取得された情報に基づいて、複数の制御パターンを生成する。つまり、生成部１１２は、削減対象期間、削減目標量、機器種別、特殊動作の予定有無、特殊動作の予定時間、および、状態に基づいて、複数の制御パターンを生成する（Ｓ１０２）。
【００７３】
ここで、複数の制御パターンのそれぞれは、複数の機器１０６に対する制御パターンであり、複数の制御パターンにおいて制御内容が互いに異なる。また、複数の制御パターンの少なくとも１つは、特殊動作の予定時間を削減対象期間外にシフトする（ずらす）ための制御パターンであり、削減対象期間における消費電力量を削減目標量以上削減するための制御パターンである。
【００７４】
次に、生成部１１２は、生成された複数の制御パターンを表示装置１０２に表示する（Ｓ１０３）。次に、選択部１１３は、ユーザから入力装置１０３を介して実行対象制御パターンの選択を受け付ける（Ｓ１０４）。次に、選択部１１３は、受け付けられた選択に従って、複数の制御パターンから実行対象制御パターンを選択する（Ｓ１０５）。
【００７５】
次に、制御部１１４は、選択部１１３で選択された実行対象制御パターンに基づいて、制御対象機器１０６に制御対象機器１０６を制御するための制御情報を送信する（Ｓ１０６）。
【００７６】
なお、複数の制御パターンの表示（Ｓ１０３）、および、選択の受け付け（Ｓ１０４）は、行われなくてもよい。選択部１１３は、所定の優先度に基づいて、複数の制御パターンから実行対象制御パターンを選択してもよい。例えば、選択部１１３は、消費電力量が最も削減される制御パターンを選択してもよいし、消費電力量の削減量が削減目標量に最も近い制御パターンを選択してもよいし、優先度の高い機器１０６の動作を維持する制御パターンを選択してもよい。
【００７７】
また、選択の受け付け（Ｓ１０４）が行われず、かつ、複数の制御パターンの表示（Ｓ１０３）が行われてもよい。この場合、複数の制御パターンと共に自動的に選択される実行対象制御パターンが表示されてもよい。これにより、ユーザは、複数の制御パターンおよび実行対象制御パターンを確認することができる。
【００７８】
また、複数の制御パターンの表示（Ｓ１０３）の代わりに、複数の制御パターンを示す音声が音声出力装置（スピーカ）を介して出力されてもよい。この場合、複数の制御パターンの表示（Ｓ１０３）が行われずに、選択の受け付け（Ｓ１０４）が行われてもよい。
【００７９】
また、生成部１１２が生成する全ての制御パターンが、それぞれ、特殊動作の予定時間を削減対象期間外にシフトするための制御パターンであってもよい。また、生成部１１２が生成する全ての制御パターンが、それぞれ、削減対象期間における消費電力量を削減目標量以上削減するための制御パターンであってもよい。
【００８０】
図８は、図２に示されたエネルギー管理装置１０４の動作の具体的な例を示すフローチャートである。
【００８１】
まず、取得部１１１の機器情報取得部１２１は、拠点内の複数の機器１０６を探索する（Ｓ２０１）。機器情報取得部１２１は、拠点周辺の機器１０６を探索してもよい。そして、機器情報取得部１２１は、探索された複数の機器１０６の情報を機器構成ＤＢ１２２等に格納する。
【００８２】
機器情報取得部１２１は、ユーザから入力装置１０３を介して複数の機器１０６の情報を受け付けて、受け付けられた情報を機器構成ＤＢ１２２等に格納してもよい。例えば、機器情報取得部１２１は、探索された複数の機器１０６の情報が、入力装置１０３から得られる情報で補完されてもよい。また、例えば、通信機能を有していない機器１０６の情報が、入力装置１０３から得られる情報で補完されてもよい。
【００８３】
次に、機器情報取得部１２１は、定期的に、各機器１０６の状態を取得する（Ｓ２０２）。そして、機器情報取得部１２１は、取得された状態を機器状態ＤＢ１２３に格納する。そして、消費電力量の削減が必要になるまで、状態の取得処理（Ｓ２０２）は繰り返される（Ｓ２０３）。
【００８４】
次に、消費電力量管理部１２５は、消費電力量の削減対象期間および削減目標量を取得し、生成部１１２に送信する（Ｓ２０４）。
【００８５】
なお、削減対象期間および削減目標量の取得方法は限定されない。例えば、削減対象期間および削減目標量の取得は、指示装置１０１から削減対象期間および削減目標量を示す指示信号（デマンドレスポンス信号）を受信することにより行われてもよい。あるいは、複数の機器１０６の消費電力量を計測装置１０５から取得し、予め設定された閾値を消費電力量が超えないように、削減対象期間および削減目標量を導出することにより行われてもよい。
【００８６】
次に、生成部１１２は、ユーザに提示するための複数の制御パターンを生成する（Ｓ２０５）。そして、生成部１１２は、生成された複数の制御パターンを表示装置１０２に送信することにより、複数の制御パターンをユーザに提示する（Ｓ２０６）。
【００８７】
次に、選択部１１３は、ユーザから入力装置１０３を介して実行対象制御パターンの選択を受け付ける。この時、選択の入力が完了する前に所定時間が経過すれば（Ｓ２０７でＹｅｓ）、選択部１１３は、所定の優先度に基づいて、複数の制御パターンから実行対象制御パターンを選択する。所定時間が経過する前に選択の入力が完了すれば（Ｓ２０８でＹｅｓ）、選択部１１３は、入力情報（つまり、受け付けられた選択）に基づいて、複数の制御パターンから実行対象制御パターンを選択する。
【００８８】
次に、制御部１１４は、実行対象制御パターンに従って、制御対象機器１０６を制御する（Ｓ２０９）。具体的には、制御部１１４は、削減対象期間の開始時に、実行対象制御パターンに従って制御対象機器１０６を制御するための制御情報を制御対象機器１０６に送信することにより、制御対象機器１０６を制御する。
【００８９】
その後、削減対象期間が終了すれば（Ｓ２１０でＹｅｓ）、各機器１０６の状態の取得処理（Ｓ２０２）から処理が繰り返される。その際、消費電力量を削減するための制御が解除されてもよい。
【００９０】
なお、選択の入力が完了する前に所定時間が経過した場合（Ｓ２０７でＹｅｓ）、選択部１１３は、複数の機器１０６を制御しない制御パターンを選択してもよい。
【００９１】
図９は、図２に示された生成部１１２における制御パターンの生成処理を示すフローチャートである。
【００９２】
まず、生成部１１２は、複数の機器１０６から１つを選択する（Ｓ３０１）。例えば、生成部１１２は、機器構成ＤＢ１２２を参照し、未だ選択されていない機器１０６を識別番号の順で選択する。
【００９３】
次に、生成部１１２は、選択機器１０６（複数の機器１０６から選択された機器１０６）の制御内容候補を生成する（Ｓ３０２）。例えば、生成部１１２は、機器構成ＤＢ１２２および機器状態ＤＢ１２３を参照し、選択機器１０６の消費電力量を削減するための制御内容候補を生成する。
【００９４】
例えば、選択機器１０６の機器種別が照明装置であり、選択機器１０６の動作状態がオンである場合、制御内容候補は、選択機器１０６の動作状態をオフにすることでもよい。また、選択機器１０６の機器種別が空調装置であり、選択機器１０６の設定温度が室外温度から所定範囲内でない場合、制御内容候補は、設定温度を室外温度から所定範囲内に近づけることでもよい。また、選択機器１０６の機器種別がショーケースである場合、制御内容候補は、選択機器１０６の内部照明をオフにすることでもよい。
【００９５】
生成部１１２は、過去に消費電力量の削減した制御を制御内容候補として生成してもよい。この場合、生成部１１２は、現在の環境（室内気温、室外気温、室内湿度および室外湿度）に類似する過去の環境における制御を制御内容候補として生成してもよい。
【００９６】
生成部１１２は、１つの選択機器１０６に対して、複数の制御内容候補を生成してもよい。
【００９７】
次に、生成部１１２は、特殊動作管理ＤＢ１２４を参照し、選択機器１０６が特殊動作の予定を有し、かつ、選択機器１０６の特殊動作の予定時間が削減対象期間に含まれているか否かを判定する（Ｓ３０３）。
【００９８】
そして、選択機器１０６の特殊動作の予定時間が削減対象期間に含まれている場合（Ｓ３０３でＹｅｓ）、生成部１１２は、選択機器１０６の制御内容候補に、特殊動作の予定時間を削減対象期間外にシフトすることを含める（Ｓ３０４）。例えば、生成部１１２は、選択機器１０６の制御内容候補に、特殊動作の予定時間を削減対象期間の終了後にシフトすることを含める。
【００９９】
次に、生成部１１２は、選択機器１０６の制御内容候補について消費電力量の削減予定量を導出する（Ｓ３０６）。例えば、生成部１１２は、選択機器１０６の状態毎に予め定められた推定消費電力量に基づいて、制御内容候補に基づく制御前および制御後の消費電力量を推定することにより、消費電力量の削減予定量を導出してもよい。あるいは、生成部１１２は、制御内容候補に類似する過去の制御における消費電力量の削減量に基づいて、消費電力量の削減予定量を導出してもよい。
【０１００】
次に、生成部１１２は、全ての機器１０６について、制御内容候補の生成、および、削減予定量の導出が完了したかを判定する（Ｓ３０６）。生成および導出が完了していない場合（Ｓ３０６でＮｏ）、生成部１１２は、機器選択（Ｓ３０１）から処理を繰り返す。
【０１０１】
次に、生成部１１２は、削減予定量の合計が削減目標量以上になるように、複数の機器１０６に対する複数の制御内容候補を組み合わせて、制御パターンとして生成する（Ｓ３０７）。例えば、生成部１１２は、削減予定量の合計が削減目標量以上になる複数の組み合わせを複数の制御パターンとして生成する。
【０１０２】
生成部１１２は、削減予定量の合計が互いに異なる複数の制御パターンを生成してもよい。例えば、生成部１１２は、「省エネ大」、「省エネ中」、「省エネ小」などの複数の制御パターンを生成してもよい。あるいは、生成部１１２は、削減予定量の合計が互いに等しい複数の制御パターンを生成してもよい。例えば、生成部１１２は、削減予定量の合計が互いに等しい複数の制御パターンとして、照明装置をオフにする制御パターンと、空調装置の設定温度を室外温度に近づける制御パターンとを生成してもよい。
【０１０３】
なお、上記の動作では、生成部１１２は、削減予定量の合計が削減目標量よりも小さい複数の制御パターンを生成する。しかし、生成部１１２が生成する複数の制御パターンに、削減予定量の合計が削減目標量よりも小さい制御パターンが含まれてもよい。
【０１０４】
また、上記の動作では、生成部１１２は、特殊動作の予定時間が削減対象期間外にシフトされる制御パターンを生成する。しかし、生成部１１２は、特殊動作の予定時間が削減対象期間外にシフトされず削減対象期間内に維持される制御パターンを生成してもよい。つまり、生成部１１２が生成する複数の制御パターンには、特殊動作の予定時間が削減対象期間外にシフトされず削減対象期間内に維持される制御パターンが含まれてもよい。
【０１０５】
また、生成部１１２は、特殊動作の予定を有する複数の機器１０６のうち、一部の特殊動作の予定時間が削減対象期間外にシフトされ、他の一部の特殊動作の予定時間が削減対象期間内に維持される制御パターンを生成してもよい。
【０１０６】
また、生成部１１２は、特殊動作の予定時間を削減対象期間外にシフトすることのみの制御内容候補を生成してもよい。つまり、生成部１１２は、特殊動作の予定時間が削減対象期間外にシフトされ、その他の状態が維持される制御内容候補を生成してもよい。また、生成部１１２は、複数の機器１０６の一部のみに関して、制御内容候補を生成してもよい。
【０１０７】
また、生成部１１２は、複数の機器１０６を制御しない制御パターンを複数の制御パターンの１つとして生成してもよい。
【０１０８】
また、例えば、生成部１１２は、ユーザによって過去に選択された実行対象制御パターンの傾向に基づいて、制御内容候補に重み付け値を割り当ててもよい。具体的には、生成部１１２は、過去の傾向に基づいて、ある制御内容候補を含む制御パターンが実行対象制御パターンとして選択される確率（頻度）が高いほど、その制御内容候補に大きな重み付け値を割り当ててもよい。
【０１０９】
そして、生成部１１２は、制御内容候補の削減予定量と、制御内容候補の重み付け値とを掛け合わせることで、評価点を算出してもよい。そして、生成部１１２は、複数の制御内容候補の複数の組み合わせのうち、評価点が最も高い組み合わせを制御パターンとして含む複数の制御パターンを生成してもよい。また、生成部１１２は、複数の制御内容候補の複数の組み合わせのうち、削減予定量の合計が最も大きい組み合わせを制御パターンとして含む複数の制御パターンを生成してもよい。
【０１１０】
［制御パターンの例］
図１０〜図１２は、図４〜図６に示された複数の機器１０６の情報に基づいて生成される複数の制御パターンの例を示す。なお、これらの例における制御情報の形式は、ホームエネルギーマネジメントシステム（ＨＥＭＳ）の標準通信プロトコルである「ＥＣＨＯＮＥＴ  Ｌｉｔｅ」（登録商標）に準拠している。
【０１１１】
図１０は、複数の制御パターンの例のうち制御パターン＃１を構成するデータテーブルを模式的に示す。この制御パターン＃１は、店内東側の空調装置（室内機）の設定温度を２８度に設定する制御情報＃１−１、店内西側の空調装置（室内機）の設定温度を２８度に設定する制御情報＃１−２、および、店内南側の照明装置をオフにする制御情報＃１−３を含む。
【０１１２】
なお、削減対象期間が２０１６／０８／１０の１３：００〜１５：００である場合、制御パターン＃１は、店内南東側のショーケースの特殊動作の予定時間を１５：００〜１５：３０にシフトする制御情報を含んでもよい。
【０１１３】
図１１は、複数の制御パターンの例のうち制御パターン＃２を構成するデータテーブルを模式的に示す。制御パターン＃２は、店内東側の空調装置（室内機）をオフにする制御情報＃２−１、店内西側の空調装置（室内機）をオフにする制御情報＃２−２、および、店内南側の照明装置をオフにする制御情報＃２−３を含む。
【０１１４】
なお、削減対象期間が２０１６／０８／１０の１３：００〜１５：００である場合、制御パターン＃２は、店内南東側のショーケースの特殊動作の予定時間を１５：００〜１５：３０にシフトする制御情報を含んでもよい。
【０１１５】
図１２は、複数の制御パターンの例のうち制御パターン＃３を模式的に示す。制御パターン＃３は、複数の機器１０６を制御しない制御パターンであり、制御情報を含まない。
【０１１６】
図１３は、図１０〜図１２に示された複数の制御パターンから実行対象制御パターンを選択するための画面イメージの例を示す。この例では、表示装置１０２および入力装置１０３が一体化された装置に、複数の制御パターンが表示され、実行対象制御パターンの選択が入力される。
【０１１７】
具体的には、この例では、画面の上側部分に、削減対象期間、削減目標量、および、複数の制御パターンが表示される。また、各制御パターンについて、制御内容が表示される。また、各制御パターンについて、削減予定量が表示される。そして、複数の制御パターンから１つの実行対象制御パターンを選択するための選択ボタンがＧＵＩ部品として表示される。また、実行対象制御パターンの選択を確定するための入力確定ボタンがＧＵＩ部品として表示される。
【０１１８】
また、制御パターンに特殊動作の動作時間を削減対象期間外にシフトすることが含まれる場合に、特殊動作の動作時間を削減対象期間外にシフトすることが制御パターンの制御内容として表示されてもよい。例えば、店内南東側のショーケースの霜取り動作を１５：００〜１５：３０にシフトすることが制御パターンの制御内容として表示されてもよい。
【０１１９】
エネルギー管理装置１０４は、図１３のような操作画面を介して、ユーザに複数の制御パターンを提示し、ユーザから実行対象制御パターンの選択を受け付けることができる。エネルギー管理装置１０４は、ユーザに複数の制御パターンから実行対象制御パターンを選択させることにより、ユーザに自発的な省エネを促すことができる。これにより、エネルギー管理装置１０４は、省エネのための制御がユーザの操作によって取り消されることを抑制することができる。
【０１２０】
具体的には、夏季において空調装置の設定温度を上げる自動制御が行われた場合、ユーザが不快に感じ、空調装置の設定温度を下げる手動制御が行われる可能性がある。その結果、消費電力量の削減目標量が達成されない可能性がある。エネルギー管理装置１０４は、ユーザに複数の制御パターンから実行対象制御パターンを選択させることにより、このような弊害を抑制することができる。
【０１２１】
［まとめ、および、補足］
以上の通り、エネルギー管理装置１０４は、複数の機器１０６の消費電力量の削減対象期間および削減目標量に基づく省エネを適切に支援することができる。
【０１２２】
具体的には、エネルギー管理装置１０４は、取得部１１１と、生成部１１２と、選択部１１３と、制御部１１４とを備える。取得部１１１は、削減対象期間、削減目標量、機器種別、特殊動作の予定有無、特殊動作の予定時間、および、状態を取得する。
【０１２３】
ここで、削減対象期間は、複数の機器１０６の消費電力量の削減対象期間である。削減目標量は、削減対象期間における消費電力量の削減目標量である。機器種別は、複数の機器１０６のそれぞれの機器種別である。特殊動作の予定有無は、複数の機器１０６のそれぞれの特殊動作の予定有無である。特殊動作の予定時間は、複数の機器１０６のうち特殊動作の予定を有する１以上の機器１０６のそれぞれの特殊動作の予定時間である。状態は、複数の機器１０６のそれぞれに関する状態である。
【０１２４】
生成部１１２は、削減対象期間、削減目標量、機器種別、特殊動作の予定有無、特殊動作の予定時間、および、状態に基づいて、複数の制御パターンを生成する。複数の制御パターンのそれぞれは、複数の機器１０６に対する制御パターンであり、複数の制御パターンの間で制御内容が互いに異なる。また、複数の制御パターンの少なくとも１つは、特殊動作の予定時間を削減対象期間外にシフトするための制御パターンであり、削減対象期間における消費電力量を削減目標量以上削減するための制御パターンである。
【０１２５】
選択部１１３は、複数の制御パターンから実行対象制御パターンを選択する。制御部１１４は、選択された実行対象制御パターンに基づいて、複数の機器１０６のうち制御対象機器１０６に制御対象機器１０６を制御するための制御情報を送信する。
【０１２６】
これにより、複数の機器１０６に対する実行対象制御パターンに従って制御対象機器１０６が適切に制御される。また、複数の制御パターンに基づいて、複数の機器１０６に対する柔軟な制御が可能である。そして、特殊動作の予定時間をシフトし、消費電力量を削減目標量以上削減するための制御パターンが実行対象制御パターンとして選択された場合、消費電力量の削減が適切に行われる。
【０１２７】
したがって、エネルギー管理装置１０４は、複数の機器１０６の消費電力量の削減対象期間および削減目標量に基づく省エネを適切に支援することができる。
【０１２８】
例えば、生成部１１２は、複数の制御パターンを表示装置１０２に表示してもよい。これにより、エネルギー管理装置１０４は、省エネに関する複数の制御パターンをユーザに示すことができる。したがって、エネルギー管理装置１０４は、省エネに関する行動をユーザに促すことができる。
【０１２９】
また、例えば、選択部１１３は、ユーザから入力装置１０３を介して実行対象制御パターンの選択を受け付けてもよい。これにより、エネルギー管理装置１０４は、ユーザが行う操作に従って、実行対象制御パターンを選択することができる。したがって、エネルギー管理装置１０４は、適切な制御パターンを実行対象制御パターンとして選択することができる。
【０１３０】
また、例えば、複数の機器１０６のうちの１つに対する機器種別は、空調装置、ショーケースおよび照明装置のいずれかでもよい。これにより、エネルギー管理装置１０４は、空調装置、ショーケースまたは照明装置に基づいて、制御パターンを生成することができる。
【０１３１】
また、例えば、複数の機器１０６のうちの１つに対する状態は、動作状態、運転モード、設定温度、室内気温、室外気温、室内湿度および室外湿度の少なくとも１つを含んでもよい。これにより、エネルギー管理装置１０４は、動作状態、運転モード、設定温度、室内気温、室外気温、室内湿度または室外湿度に基づいて、制御パターンを生成することができる。
【０１３２】
また、例えば、特殊動作の予定を有する１以上の機器１０６のうちの１つに対する特殊動作は、霜取り動作でもよい。これにより、エネルギー管理装置１０４は、霜取り動作を削減対象期間外にシフトするための制御パターンを生成することができる。
【０１３３】
また、例えば、複数の制御パターンのそれぞれが、特殊動作の予定時間を削減対象期間外にシフトするための制御パターンでもよい。これにより、どの制御パターンが実行対象制御パターンとして選択されても、適切に特殊動作がシフトされ、削減対象期間における消費電力量の増加が抑制される。
【０１３４】
また、例えば、複数の制御パターンのそれぞれが、削減対象期間における消費電力量を削減目標量以上削減するための制御パターンでもよい。これにより、どの制御パターンが実行対象制御パターンとして選択されても、適切に消費電力量が削減される。
【０１３５】
また、例えば、複数の制御パターンは、複数の機器１０６が制御されない制御パターンを含んでもよい。これにより、エネルギー管理装置１０４は、状況に応じて、消費電力量を削減するための制御を拒絶することができる。
【０１３６】
また、例えば、特殊動作が周期的に行われる場合、または、特殊動作が起動時または停止時のように不定期に行われる場合でも、削減対象期間における特殊動作を禁止し、特殊動作の予定時間を削減対象期間外にシフトするための制御パターンが生成されてもよい。
【０１３７】
また、例えば、特殊動作の予定時間が削減対象期間の終了後にシフトするための制御パターンが生成されてもよいし、特殊動作の予定時間が削減対象期間の開始前にシフトするための制御パターンが生成されてもよい。
【０１３８】
また、例えば、制御部１１４は、特殊動作管理ＤＢ１２４が有する情報に基づいて、特殊動作の制御を行ってもよい。例えば、制御部１１４は、特殊動作管理ＤＢ１２４における特殊動作の予定時間に基づいて、機器１０６に特殊動作を開始させるための制御情報を送信することにより、機器１０６に特殊動作を開始させてもよい。この場合、制御部１１４は、特殊動作管理ＤＢ１２４における特殊動作の予定時間を更新することにより、特殊動作の予定時間をシフトしてもよい。
【０１３９】
また、例えば、制御パターンには、エネルギー管理装置１０４が制御情報を制御対象機器１０６に送信することにより行われる制御のみではなく、ユーザが制御対象機器１０６を操作することにより行われる制御が含まれてもよい。そして、生成部１１２は、このような制御パターンを表示装置１０２に表示することにより、ユーザに制御対象機器１０６の操作を促すことができる。
【０１４０】
また、例えば、制御パターンには、電力を発生させる制御が含まれてもよい。具体的には、蓄電池を放電させる制御が含まれてもよいし、燃料電池に発電させる制御が含まれてもよい。
【０１４１】
また、本実施の形態では、店舗の消費電力量が削減されるが、一般の住宅のような施設の消費電力量が削減されてもよい。つまり、エネルギー管理装置１０４が、店舗に限らず他の施設に用いられてもよい。
【０１４２】
また、上記の実施の形態において、各構成要素は、専用のハードウェアで構成されるか、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）またはプロセッサなどのプログラム実行部が、ハードディスクまたは半導体メモリなどの記録媒体に記録されたソフトウェアプログラムを読み出して実行することによって実現されてもよい。ここで、上記実施の形態のエネルギー管理装置１０４などを実現するソフトウェアは、次のようなプログラムである。
【０１４３】
すなわち、このプログラムは、コンピュータに、複数の機器の消費電力量の削減対象期間、前記削減対象期間における前記消費電力量の削減目標量、前記複数の機器のそれぞれの機器種別、前記複数の機器のそれぞれの特殊動作の予定有無、前記複数の機器のうち前記特殊動作の予定を有する１以上の機器のそれぞれの前記特殊動作の予定時間、および、前記複数の機器のそれぞれに関する状態を取得し、前記削減対象期間、前記削減目標量、前記機器種別、前記特殊動作の予定有無、前記特殊動作の予定時間、および、前記状態に基づいて、それぞれが前記複数の機器に対する制御パターンであり制御内容が互いに異なる複数の制御パターンを生成し、前記複数の制御パターンから実行対象制御パターンを選択し、選択された前記実行対象制御パターンに基づいて、前記複数の機器のうち制御対象機器に前記制御対象機器を制御するための制御情報を送信することを含み、前記複数の制御パターンの少なくとも１つは、前記特殊動作の予定時間を前記削減対象期間外にシフトするための制御パターンであり、前記削減対象期間における前記消費電力量を前記削減目標量以上削減するための制御パターンであるエネルギー管理方法を実行させる。
【０１４４】
また、エネルギー管理装置１０４に含まれる各構成要素は、回路でもよい。これらの回路は、全体として１つの回路を構成してもよいし、それぞれ別々の回路でもよい。また、これらの回路は、それぞれ、汎用的な回路でもよいし、専用の回路でもよい。
【０１４５】
以上、一つまたは複数の態様に係るエネルギー管理装置１０４等について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【０１４６】
例えば、上記実施の形態において、特定の構成要素が実行する処理を特定の構成要素の代わりに別の構成要素が実行してもよい。また、複数の処理の順序が変更されてもよいし、複数の処理が並行して実行されてもよい。
【産業上の利用可能性】
【０１４７】
本開示は、消費電力量の削減対象期間および削減目標量に基づく省エネを支援するためのエネルギー管理装置等に利用可能であり、例えば、店舗または住宅のような施設の省エネを支援するためのエネルギー管理システム等に適用可能である。
【符号の説明】
【０１４８】
１００  エネルギー管理システム
１０１  指示装置
１０２  表示装置
１０３  入力装置
１０４  エネルギー管理装置
１０５  計測装置
１０６  機器
１１１  取得部
１１２  生成部
１１３  選択部
１１４  制御部
１２１  機器情報取得部
１２２  機器構成ＤＢ
１２３  機器状態ＤＢ
１２４  特殊動作管理ＤＢ
１２５  消費電力量管理部
【図１】
2018019569.tif 000003
【図２】
2018019569.tif 000004
【図３】
2018019569.tif 000005
【図４】
2018019569.tif 000006
【図５】
2018019569.tif 000007
【図６】
2018019569.tif 000008
【図７】
2018019569.tif 000009
【図８】
2018019569.tif 000010
【図９】
2018019569.tif 000011
【図１０】
2018019569.tif 000012
【図１１】
2018019569.tif 000013
【図１２】
2018019569.tif 000014
【図１３】
2018019569.tif 000015